【手続補正書】
【提出日】平成24年6月21日(2012.6.21)
【手続補正１】
【補正対象書類名】明細書
【補正対象項目名】００７１
【補正方法】変更
【補正の内容】
【００７１】
表２に示すように、１６０℃で５００時間熱劣化したときの破断歪みの保持率は、本発明によるポリエステル組成物（Ｅ１）と比較例との間で有意差はなかった。これに対して、本発明によるポリエステル組成物（Ｅ１）は、長期熱劣化、すなわち、１６０℃で１０００時間および１６０℃で１５００時間熱劣化した後、著しい破断歪みの保持率の改善を示した。実際、本発明によるポリエステル組成物（Ｅ１）は、３１％の保持率を示したが、比較例組成物（Ｃ１〜Ｃ３）は、１６０℃、１５００時間後で６〜２４％の値しか示さなかった。
［本発明の態様］
１．（ａ）ポリ（シクロヘキシレン−ジメチレン）テレフタレートポリマー；
（ｂ）少なくとも１つのコポリエステルエラストマー；および
（ｃ）（ｃ１）１つまたは複数のエチレンアルキル−（メタ）アクリレートコポリマー、（ｃ２）１つまたは複数のエチレン酸コポリマーおよび／またはそのイオノマー、および（ｃ３）１つまたは複数のエチレンエポキシドコポリマーからなる群から選択される、少なくとも３つのエチレンコポリマー；を含むポリエステル組成物。
２．前記少なくとも３つのエチレンコポリマーの１つが（ｃ１）１つまたは複数のエチレンアルキル−（メタ）アクリレートコポリマーであり；前記少なくとも３つのエチレンコポリマーの１つが（ｃ２）１つまたは複数のエチレン酸コポリマーおよび／またはそのイオノマーであり；および前記少なくとも３つのエチレンコポリマーの１つが（ｃ３）１つまたは複数のエチレンエポキシドコポリマーである、１に記載のポリエステル組成物。
３．成分（ａ）、（ｂ）および（ｃ）の合計としてのポリエステル組成物の全重量に基づく重量％で、約３０〜約７０重量％の（ａ）ポリ（シクロヘキシレン−ジメチレン）テレフタレートポリマーを含む、１または２に記載のポリエステル組成物。
４．ポリエステル組成物の全重量に基づく重量％で、約１０〜約５０重量％の（ｂ）少なくとも１つのコポリエステルエラストマーを含む、１〜３のいずれか一つに記載のポリエステル組成物。
５．ポリエステル組成物の全重量に基づく重量％で、約１０〜約５０重量％の（ｃ）少なくとも３つのエチレンコポリマーを含む、１〜４のいずれか一つに記載のポリエステル組成物。
６．前記少なくとも１つのポリエステルエラストマー（ｂ）がコポリエーテルエステルである、１〜５のいずれか一つに記載のポリエステル組成物。
７．（ｃ１）前記１つまたは複数のエチレンアルキル−（メタ）アクリレートコポリマーが約５〜約３０重量％の量で存在し；（ｃ２）前記１つまたは複数のエチレン酸コポリマーおよび／またはそのイオノマーが約１〜約２０重量％の量で存在し；および（ｃ３）前記１つまたは複数のエチレンエポキシドコポリマーが約１〜約２０重量％の量で存在し；ただし、成分（ｃ１）、（ｃ２）および（ｃ３）の合計が、ポリエステル組成物の全重量に基づく重量％で、５０重量％以下である、１〜６のいずれか一つに記載のポリエステル組成物。
８．ポリエチレンテレフタレート、ポリプロピレンテレフタレート、ポリブチレンテレフタレート、ポリナフタレンテレフタレート、液晶ポリエステルおよびそれらの混合物から選択される１つまたは複数の追加の熱可塑性ポリエステルをさらに含む、１〜７のいずれか一つに記載のポリエステル組成物。
９．１つまたは複数の酸化安定剤をさらに含む、１〜８のいずれか一つに記載のポリエステル組成物。
１０．前記１つまたは複数の酸化安定剤が、ポリエステル組成物の全重量に基づく重量％で、約０．１〜約５重量％の量で存在する、９に記載のポリエステル組成物。
１１．（ａ）前記ポリ（シクロヘキシレン−ジメチレン）テレフタレートポリマー；
（ｂ）前記少なくとも１つのコポリエステルエラストマー；および
（ｃ）（ｃ１）１つまたは複数のエチレンアルキル−（メタ）アクリレートコポリマー、（ｃ２）１つまたは複数のエチレン酸コポリマーおよび／またはそのイオノマー、および（ｃ３）１つまたは複数のエチレンエポキシドコポリマーから選択される、前記少なくとも３つのエチレンコポリマー；並びに
任意選択の改質剤および／または他の構成成分；を混合する工程を含む、１〜１０のいずれか一つに記載のポリエステル組成物を製造する方法。
１２．１〜１０のいずれか一つに記載のポリエステル組成物から作製された成形物品。
１３．押出物品である、１２に記載の成形物品。
１４．中空体、積層品、フィルム、または繊維である、１２または１３に記載の成形物品。
１５．高温用途のための１〜１０のいずれか一項に記載のポリエステル組成物の使用。
１６．（ａ）ポリ（シクロヘキシレン−ジメチレン）テレフタレートポリマー；
（ｂ）少なくとも１つのコポリエステルエラストマー；および
（ｃ）（ｃ１）１つまたは複数のエチレンアルキル−（メタ）アクリレートコポリマー、（ｃ２）１つまたは複数のエチレン酸コポリマーおよび／またはそのイオノマー、および（ｃ３）１つまたは複数のエチレンエポキシドコポリマーからなる群から選択される、少なくとも３つのエチレンコポリマー；を含むポリエステル組成物。
１７．前記少なくとも３つのエチレンコポリマーの１つが（ｃ１）１つまたは複数のエチレンアルキル−（メタ）アクリレートコポリマーであり；前記少なくとも３つのエチレンコポリマーの１つが（ｃ２）１つまたは複数のエチレン酸コポリマーおよび／またはそのイオノマーであり；および前記少なくとも３つのエチレンコポリマーの１つが（ｃ３）１つまたは複数のエチレンエポキシドコポリマーである、１６に記載のポリエステル組成物。
１８．成分（ａ）、（ｂ）および（ｃ）の合計としてのポリエステル組成物の全重量に基づく重量％で、約３０〜約７０重量％の（ａ）ポリ（シクロヘキシレン−ジメチレン）テレフタレートポリマーを含む、１６に記載のポリエステル組成物。
１９．ポリエステル組成物の全重量に基づく重量％で、約１０〜約５０重量％の（ｂ）少なくとも１つのコポリエステルエラストマーを含む、１６に記載のポリエステル組成物。
２０．ポリエステル組成物の全重量に基づく重量％で、約１０〜約５０重量％の（ｃ）少なくとも３つのエチレンコポリマーを含む、１６に記載のポリエステル組成物。
２１．前記少なくとも１つのコポリエステルエラストマー（ｂ）がコポリエーテルエステルである、１６に記載のポリエステル組成物。
２２．成分（ａ）、（ｂ）および（ｃ）の合計としてのポリエステル組成物の全重量に基づく重量％で、
（ａ）約３０〜約７０重量％の前記ポリ（シクロヘキシレン−ジメチレン）テレフタレートポリマー；
（ｂ）約１０〜約５０重量％の前記少なくとも１つのコポリエステルエラストマー；および
（ｃ）（ｃ１）約５〜約３０重量％の量で存在する１つまたは複数のエチレンアルキル−（メタ）アクリレートコポリマー、
（ｃ２）約１〜約１０重量％の量で存在する１つまたは複数のエチレン酸コポリマーおよび／またはそのイオノマー、および
（ｃ３）約１〜約１０重量％の量で存在する１つまたは複数のエチレンエポキシドコポリマーからなる群から選択される、約１０〜約５０重量％の前記少なくとも３つのエチレンコポリマー；
を含む、１６に記載のポリエステル組成物。
２３．ポリエチレンテレフタレート、ポリプロピレンテレフタレート、ポリブチレンテレフタレート、ポリナフタレンテレフタレート、液晶ポリエステルおよびそれらの混合物から選択される１つまたは複数の追加の熱可塑性ポリエステルをさらに含む、１６に記載のポリエステル組成物。
２４．１つまたは複数の酸化安定剤をさらに含む、１６に記載のポリエステル組成物。
２５．ポリエステル組成物の全重量に基づく重量％で、約０．１〜約５重量％の量の１つまたは複数の酸化安定剤をさらに含む、１６に記載のポリエステル組成物。
２６．（ａ）前記ポリ（シクロヘキシレン−ジメチレン）テレフタレートポリマー；
（ｂ）前記少なくとも１つのコポリエステルエラストマー；および
（ｃ）（ｃ１）１つまたは複数のエチレンアルキル−（メタ）アクリレートコポリマー、（ｃ２）１つまたは複数のエチレン酸コポリマーおよび／またはそのイオノマー、および（ｃ３）１つまたは複数のエチレンエポキシドコポリマーから選択される、前記少なくとも３つのエチレンコポリマー；並びに
任意選択の改質剤および／または他の構成成分；
を混合する工程を含む、１６に記載のポリエステル組成物を製造する方法。
２７．１６に記載のポリエステル組成物から作製された成形物品。
２８．押出物品である、２７に記載の成形物品。
２９．中空体、積層品、フィルム、または繊維である、２７に記載の成形物品。
３０．１６に記載のポリエステル組成物を成形する工程を含む、物品を作製するための方法であって、前記物品が長期耐熱劣化性を示す、前記方法。
【手続補正２】
【補正対象書類名】特許請求の範囲
【補正対象項目名】全文
【補正方法】変更
【補正の内容】
【特許請求の範囲】
【請求項１】
（ａ）ポリ（シクロヘキシレン−ジメチレン）テレフタレートポリマー；
（ｂ）少なくとも１つのコポリエステルエラストマー；および
（ｃ）（ｃ１）１つまたは複数のエチレンアルキル−（メタ）アクリレートコポリマー、
（ｃ２）１つまたは複数のエチレン酸コポリマーおよび／またはそのイオノマー、および
（ｃ３）１つまたは複数のエチレンエポキシドコポリマーからなる群から選択される、少なくとも３つのエチレンコポリマー；
を含むポリエステル組成物。
【請求項２】
前記少なくとも３つのエチレンコポリマーの１つが（ｃ１）１つまたは複数のエチレンアルキル−（メタ）アクリレートコポリマーであり、
前記少なくとも３つのエチレンコポリマーの１つが（ｃ２）１つまたは複数のエチレン酸コポリマーおよび／またはそのイオノマーであり、および
前記少なくとも３つのエチレンコポリマーの１つが（ｃ３）１つまたは複数のエチレンエポキシドコポリマーである、請求項１に記載のポリエステル組成物。
【請求項３】
成分（ａ）、（ｂ）および（ｃ）の合計としてのポリエステル組成物の全重量に基づく重量％で、約３０〜約７０重量％の（ａ）ポリ（シクロヘキシレン−ジメチレン）テレフタレートポリマーを含む、請求項１または２に記載のポリエステル組成物。
【請求項４】
ポリエステル組成物の全重量に基づく重量％で、約１０〜約５０重量％の（ｂ）少なくとも１つのコポリエステルエラストマーを含む、請求項１〜３のいずれか一項に記載のポリエステル組成物。
【請求項５】
ポリエステル組成物の全重量に基づく重量％で、約１０〜約５０重量％の（ｃ）少なくとも３つのエチレンコポリマーを含む、請求項１〜４のいずれか一項に記載のポリエステル組成物。
【請求項６】
前記少なくとも１つのポリエステルエラストマー（ｂ）がコポリエーテルエステルである、請求項１〜５のいずれか一項に記載のポリエステル組成物。
【請求項７】
（ｃ１）前記１つまたは複数のエチレンアルキル−（メタ）アクリレートコポリマーが約５〜約３０重量％の量で存在し；
（ｃ２）前記１つまたは複数のエチレン酸コポリマーおよび／またはそのイオノマーが約１〜約２０重量％の量で存在し；および
（ｃ３）前記１つまたは複数のエチレンエポキシドコポリマーが約１〜約２０重量％の量で存在し；
ただし、成分（ｃ１）、（ｃ２）および（ｃ３）の合計が、ポリエステル組成物の全重量に基づく重量％で、５０重量％以下である、請求項１〜６のいずれか一項に記載のポリエステル組成物。
【請求項８】
ポリエチレンテレフタレート、ポリプロピレンテレフタレート、ポリブチレンテレフタレート、ポリナフタレンテレフタレート、液晶ポリエステルおよびそれらの混合物から選択される１つまたは複数の追加の熱可塑性ポリエステルをさらに含む、請求項１〜７のいずれか一項に記載のポリエステル組成物。
【請求項９】
１つまたは複数の酸化安定剤をさらに含む、請求項１〜８のいずれか一項に記載のポリエステル組成物。
【請求項１０】
前記１つまたは複数の酸化安定剤が、ポリエステル組成物の全重量に基づく重量％で、約０．１〜約５重量％の量で存在する、請求項９に記載のポリエステル組成物。
【請求項１１】
（ａ）前記ポリ（シクロヘキシレン−ジメチレン）テレフタレートポリマー；
（ｂ）前記少なくとも１つのコポリエステルエラストマー；および
（ｃ）（ｃ１）１つまたは複数のエチレンアルキル−（メタ）アクリレートコポリマー、（ｃ２）１つまたは複数のエチレン酸コポリマーおよび／またはそのイオノマー、および（ｃ３）１つまたは複数のエチレンエポキシドコポリマーから選択される、前記少なくとも３つのエチレンコポリマー；並びに
任意選択の改質剤および／または他の構成成分；
を混合する工程を含む、請求項１〜１０のいずれか一項に記載のポリエステル組成物を製造する方法。
【請求項１２】
請求項１〜１０のいずれか一項に記載のポリエステル組成物から作製された成形物品。
【請求項１３】
押出物品である、請求項１２に記載の成形物品。
【請求項１４】
中空体、積層品、フィルム、または繊維である、請求項１２または１３に記載の成形物品。
【請求項１５】
高温用途のための請求項１〜１０のいずれか一項に記載のポリエステル組成物の使用。
【請求項１６】
成分（ａ）、（ｂ）および（ｃ）の合計としてのポリエステル組成物の全重量に基づく重量％で、
（ａ）約３０〜約７０重量％の前記ポリ（シクロヘキシレン−ジメチレン）テレフタレートポリマー；
（ｂ）約１０〜約５０重量％の前記少なくとも１つのコポリエステルエラストマー；および
（ｃ）（ｃ１）約５〜約３０重量％の量で存在する１つまたは複数のエチレンアルキル−（メタ）アクリレートコポリマー、
（ｃ２）約１〜約１０重量％の量で存在する１つまたは複数のエチレン酸コポリマーおよび／またはそのイオノマー、および
（ｃ３）約１〜約１０重量％の量で存在する１つまたは複数のエチレンエポキシドコポリマーからなる群から選択される、約１０〜約５０重量％の前記少なくとも３つのエチレンコポリマー；
を含む、請求項１〜１０のいずれか一項に記載のポリエステル組成物。
【請求項１７】
請求項１〜１０および１６のいずれか一項に記載のポリエステル組成物を成形する工程を含む、物品を作製するための方法であって、前記物品が長期耐熱劣化性を示す、前記方法。